(57)【要約】【課題】シートバックの移動軌跡上に異物が入ることを抑制し得る構造を有する乗物用シート装置を提供する。【解決手段】乗物天井２１側に格納され得る乗物用シート装置１であって、乗物天井２１から垂下する使用位置と乗物天井２１に沿う格納位置とに移動可能に乗物天井２１に連結されるシートバック３と、シートバック３に移動可能に連結されてシートバック３から延出する使用位置とシートバック３に重なる格納位置とに移動され得るシートクッション４と、乗物天井２１に回転可能に連結されて格納位置にあるシートバック３の下側に張出し得る閉じ位置と乗物天井２１から垂下してシートバック３の移動軌跡に隣接する開き位置とに移動され得る蓋部材５を有する。【選択図】図１
2011201392.tif 000002
【特許請求の範囲】
【請求項１】
乗物天井側に格納され得る乗物用シート装置であって、
前記乗物天井から垂下する使用位置と前記乗物天井に沿う格納位置とに移動可能に前記乗物天井に連結されるシートバックと、前記シートバックに移動可能に連結されて前記シートバックから延出する使用位置と前記シートバックに重なる格納位置とに移動され得るシートクッションと、前記乗物天井に回転可能に連結されて前記格納位置にある前記シートバックの下側に張出し得る閉じ位置と前記乗物天井から垂下して前記シートバックの移動軌跡に隣接する開き位置とに移動され得る蓋部材を有する乗物用シート装置。
【請求項２】
請求項１に記載の乗物用シート装置であって、
前記蓋部材を前記開き位置から前記閉じ位置に付勢する付勢部材と、前記蓋部材を前記閉じ位置から前記開き位置に移動させ得るように前記蓋部材とケーブルによって連結されかつ前記シートバックまたは前記シートクッションに移動可能に設けられる蓋操作レバーとを有する乗物用シート装置。
【請求項３】
請求項１に記載の乗物用シート装置であって、
前記シートバックを前記格納位置にて前記乗物天井にロックするロック装置と、前記ロック装置をロック解除させ得るようにケーブルによって前記ロック装置と連結されかつ前記シートバックまたは前記シートクッションに第一回転軸を中心に回転可能に取付けられるロック解除レバーと、前記蓋部材を前記閉じ位置から前記開き位置に移動させ得るように前記蓋部材にケーブルによって連結されかつ前記第一回転軸と平行な第二回転軸を中心に前記ロック解除レバーに対して回転可能に取付けられる蓋操作レバーとを有する乗物用シート装置。
【発明の詳細な説明】
【技術分野】
【０００１】
本発明は、乗物天井側に格納され得る乗物用シート装置に関する。
【背景技術】
【０００２】
乗物天井側に格納され得る従来の乗物用シートは、乗物天井から垂下する使用位置と乗物天井に沿う格納位置とに移動可能に乗物天井に連結されるシートバックと、シートバックに移動可能に連結されてシートバックから延出する使用位置とシートバックに重なる格納位置とに移動され得るシートクッションを有する。
【先行技術文献】
【特許文献】
【０００３】
【特許文献１】特開２０１０−６１６８号公報
【発明の概要】
【発明が解決しようとする課題】
【０００４】
しかしシートバックを乗物天井に対して移動させる際に、異物がシートバックの移動軌跡に入り込み、異物がシートバックの移動時の障害になる場合がある。そこでシートバックを乗物床面に対して移動させる際にシートバックの移動軌跡上に異物が入ることを抑制し得る構造を有する乗物用シート装置が従来求められている。
【課題を解決するための手段】
【０００５】
前記課題を解決するために本発明は、各請求項に記載の通りの構成を備える乗物用シート装置であることを特徴とする。一つの特徴によると本発明は、乗物天井から垂下する使用位置と乗物天井に沿う格納位置とに移動可能に乗物天井に連結されるシートバックと、シートバックに対して移動可能に連結されてシートバックから延出する使用位置とシートバックに重なる格納位置とに移動され得るシートクッションと、乗物天井に回転可能に連結されて格納位置にあるシートバックの下側に張出し得る閉じ位置と乗物天井から垂下してシートバックの移動軌跡に隣接する開き位置とに移動され得る蓋部材を有する。
【０００６】
したがって蓋部材を開き位置にすることで、シートバックを使用位置と格納位置の間で移動させることができる。開き位置の蓋部材は、シートバックの移動軌跡に隣接する。これにより蓋部材は、シートバックの移動軌跡の隣接位置から移動軌跡上に異物が入ることを抑制し得る。そのため蓋部材は、シートバックが異物によって移動し難くなることを抑制し得る。閉じ位置の蓋部材は、シートバックの下側に張出す。そのため蓋部材によって乗物の室内からシートバックが見え難くなり、これにより室内の見栄えが向上され得る。
【図面の簡単な説明】
【０００７】
【図１】乗物の一部断面とシート装置の側面図である。
【図２】乗物の一部断面とシート装置の後面部である。
【図３】ケーブルを示すための乗物とシート装置の一部断面側面図である。
【図４】シートが使用状態から格納状態へ変化する際のシート装置の側面図である。
【図５】シートが使用状態から格納状態へ変化する際のシート装置の側面図である。
【図６】シートが使用状態から格納状態へ変化する際のシート装置の側面図である。
【図７】シートが格納状態にある際のシート装置の側面図である。
【図８】シートが格納状態から使用状態に変化する際のシート装置の側面図である。
【図９】シートが格納状態から使用状態に変化する際のシート装置の側面図である。
【図１０】シートが格納状態から使用状態に変化する際のシート装置の側面図である。
【図１１】シートが格納状態から使用状態に変化する際のシート装置の側面図である。
【発明を実施するための形態】
【０００８】
本発明の一つの実施の形態を図１〜１１にしたがって説明する。シート装置１は、図１に示すように乗物２０に装着されるシート２と蓋部材５を有する。乗物２０は、車両などであって、天井２１と床面２２と複数のピラー２９を有する。ピラー２９は、天井２１と床面２２の間にて起立する。床面２２には、シート２の前方に設置されるシート２３が取付けられる。
【０００９】
シート２は、図１，２に示すようにシートバック３とシートクッション４を有する。シートバック３は、乗物２０の室内幅と略同じ幅を有する。シートバック３の上部には、ヘッドレスト９が取付けられる。シートバック３の左右上部には、シートバック３から上方に延出するアーム６が取付けられる。アーム６の端部は、ピラー２９に取付けられたブラケット２７に回転可能に取付けられる。シートバック３は、アーム６とともに天井２１に対して回転して、天井２１から垂下する使用位置と、天井２１に沿う格納位置の間で移動する。
【００１０】
シートクッション４は、図１，２に示すようにシートバック３と同じ幅を有する。シートクッション４の後部は、シートバック３の下部に回転可能に取付けられる。シートクッション４は、シートバック３に対して回転して、シートバック３から前方に延出する使用位置と、シートバック３に対して厚み方向に重なる格納位置の間で移動する。したがってシート２は、図１に示すようにシートバック３とシートクッション４のそれぞれが格納位置に位置する使用状態と、それぞれが使用位置に位置する格納状態（図１の仮想線）との間で変化する。
【００１１】
シートクッション４の左右部の前部には、図１，２に示すように床面２２に設けられたアンカ２６に解除可能にロックするロック装置１２が設けられる。シートバック３の左右部の下部には、ピラー２９に設けられたアンカ２５に解除可能にロックするロック装置１１が設けられる。シートバック３の左右部の下端部には、天井２１に設けられたアンカ２４に解除可能にロックするロック装置１０が設けられる。
【００１２】
蓋部材５は、図１，２に示すように板状であって、シートバック３と同じ幅を有する。蓋部材５の一端部５ａは、天井２１に設けられたブラケット２８に回転可能に取付けられる。蓋部材５は、一端部５ａから後方に延出して天井２１と略平行になる閉じ位置と、一端部５ａから下方に延出して天井２１から垂下する開き位置の間で移動する。蓋部材５と天井２１の間には、蓋部材５を開き位置から閉じ位置へ付勢して、蓋部材５を閉じ位置へ保持し得る付勢部材１６が設けられる。
【００１３】
図１に示すようにシート２を格納状態にし、蓋部材５を閉じ位置にすると、蓋部材５は、シートバック３の一部下側に張出す。シート２を使用状態にし、蓋部材５を閉じ位置にすると、蓋部材５が天井２１との間に荷物を収納し得る収納空間３０を形成する。
【００１４】
図１に示すように蓋部材５を開き位置にすると、蓋部材５がシートバック３の移動軌跡１９に隣接する。これによりシートバック３の天井２１に対する移動が許容される。開き位置の蓋部材５は、シート２の前側でかつシート２３の後側に位置し、天井２１から垂下する。そのため蓋部材５は、異物がシート２３側からシート２へ侵入することを防止し得る。
【００１５】
シートバック３の後部には、図２に示すようにロック解除レバー８と蓋操作レバー７が設けられる。ロック解除レバー８は、シートバック３の中央に形成された凹部３ａに設置され、ロック解除レバー８の下部８ａがシートバック３に回転可能に取付けられる。ロック解除レバー８は、水平方向に延出する第一回転軸８ｃを中心にシートバック３に対して傾動して、シートバック３に対して出没され得る。
【００１６】
蓋操作レバー７は、図２に示すようにロック解除レバー８の上部に形成された開口部８ｄに設置され、蓋操作レバー７の上部７ａがロック解除レバー８に回転可能に取付けられる。蓋操作レバー７は、水平方向に延出する第二回転軸７ｃを中心に蓋操作レバー７に対して傾動して、蓋操作レバー７に対して出没され得る。
【００１７】
図３に示すように蓋操作レバー７と蓋部材５の間には、これらを連結するケーブル１３が設けられる。ケーブル１３は、インナケーブル１３ａとインナケーブル１３ａが移動可能に挿入されるアウタケーブル１３ｂを有する。インナケーブル１３ａの一端部１３ａ１は、蓋操作レバー７に取付けられる。アウタケーブル１３ｂの一端部１３ｂ１は、ロック解除レバー８に設けられた取付部１４に取付けられる。
【００１８】
ケーブル１３は、図３に示すようにロック解除レバー８、シートバック３、アーム６および天井２１に沿ってブラケット２８へ延出する。アウタケーブル１３ｂの先端部１３ｂ２は、ブラケット２８に設けられた取付部１５に取付けられ、インナケーブル１３ａの先端部１３ａ２は、蓋部材５の端部に取付けられる。蓋操作レバー７をロック解除レバー８に対して回転させると、蓋操作レバー７がインナケーブル１３ａを引っ張り、インナケーブル１３ａが蓋部材５を引っ張る。これにより蓋部材５が付勢部材１６に抗して閉じ位置から開き位置へ回転する。
【００１９】
図１に示すようにロック解除レバー８は、ケーブル１７によってロック装置１０〜１２と連結される。ロック解除レバー８をシートバック３に対して回転させると、ロック解除レバー８がケーブル１７を介してロック装置１０〜１２をロック状態からロック解除状態に変化させる。ロック装置１０〜１２は、ロック解除状態においてアンカ２４〜２６からロック解除される。
【００２０】
シート２を図１に示す使用状態から図７に示す格納状態にする場合は、先ず図４に示すようにロック解除レバー８をシートバック３に対して回転させる。これによりロック装置１１，１２がアンカ２５，２６に対してロック解除される。シートクッション４は、シートクッション４とシートバック３の間に設けられた付勢部材１８によって使用位置から格納位置へ回転する。
【００２１】
次に図５に示すように蓋操作レバー７をロック解除レバー８に対して回転させる。これによりケーブル１３によって蓋部材５が付勢部材１６に抗して閉じ位置から開き位置に回転する。次に図６に示すように蓋操作レバー７を前方に押す。これにより蓋操作レバー７がロック解除レバー８を押し、ロック解除レバー８がシート２を天井２１に向けて移動させる。ロック装置１０は、アンカ２４に対して押付けられることで、アンカ２４に対してロックする。
【００２２】
次に図７に示すように蓋操作レバー７とロック解除レバー８を元の位置へ戻す。これにより蓋部材５が付勢部材１６によって開き位置から閉じ位置へ回転する。かくしてシート２は、使用状態から格納状態に変化する。
【００２３】
シート２を図７に示す格納状態から図１に示す使用状態にする場合は、先ず図８に示すように蓋操作レバー７をロック解除レバー８に対して回転させる。これによりケーブル１３によって蓋部材５が付勢部材１６に抗して閉じ位置から開き位置に回転する。次に図９に示すようにロック解除レバー８をシートバック３に対して回転させる。これによりロック装置１０がアンカ２４に対してロック解除される。
【００２４】
次に図１０に示すように蓋操作レバー７を下方へ引っ張る。これにより蓋操作レバー７がロック解除レバー８を下方へ引っ張り、ロック解除レバー８がシート２を下方に引っ張る。ロック装置１１は、アンカ２５に対して押付けられることで、アンカ２５に対してロックする。
【００２５】
次に図１１に示すように蓋操作レバー７とロック解除レバー８を元の位置へ戻す。これにより蓋部材５が付勢部材１６によって開き位置から閉じ位置へ回転する。次に図１に示すようにシートクッション４をシートバック３に対して回転させ、ロック装置１２をアンカ２６に押付け、ロック装置１２をアンカ２６に対してロックさせる。かくしてシート２は、格納状態から使用状態に変化する。
【００２６】
以上のようにシート装置１は、図１に示すように蓋部材５を有し、蓋部材５は、天井２１に沿って延出して格納位置にあるシートバック３の下側に張出し得る閉じ位置と天井２１から垂下してシートバック３の移動軌跡１９に隣接する開き位置とに移動する。
【００２７】
したがって蓋部材５を開き位置にすることで、シートバック３を使用位置と格納位置の間で移動させることができる。開き位置の蓋部材５は、シートバック３の移動軌跡１９に隣接する。これにより蓋部材５は、シートバック３の移動軌跡１９の隣接位置から移動軌跡１９上に異物が入ることを抑制し得る。そのため蓋部材５は、シートバック３が異物によって移動し難くなることが抑制し得る。閉じ位置の蓋部材５は、シートバック３の下側に張出す。そのため蓋部材５によって乗物の室内からシートバック３が見え難くなり、これにより室内の見栄えが向上され得る。
【００２８】
図１に示すようにシート装置１は、蓋部材５を開き位置から閉じ位置に付勢する付勢部材１６と、蓋部材５を閉じ位置から開き位置に移動させ得るように蓋部材５とケーブル１３によって連結されかつシートバック３に移動可能に設けられる蓋操作レバー７を有する。したがって蓋部材５は、付勢部材１６によって閉じ位置に保持され得る。また蓋部材５は、蓋操作レバー７を操作することで閉じ位置から開き位置に移動され得る。そのため蓋部材５を把持することなく蓋部材５を開き位置に移動させ得る。
【００２９】
図１，２に示すようにシート装置１は、ロック装置１０とロック解除レバー８と蓋操作レバー７を有する。ロック装置１０は、シートバック３を格納位置にて天井２１にロックする。ロック解除レバー８は、ロック装置１０をロック解除させ得るようにケーブル１７によってロック装置１０と連結されかつシートバック３に第一回転軸８ｃを中心に回転可能に取付けられる。蓋操作レバー７は、蓋部材５を閉じ位置から開き位置に移動させ得るように蓋部材５にケーブル１３によって連結されかつ第一回転軸８ｃと平行な第二回転軸７ｃを中心にロック解除レバー８に対して回転可能に取付けられる。
【００３０】
したがって蓋操作レバー７を把持することで、蓋操作レバー７とロック解除レバー８とを連続にあるいは同時に操作することができる。そのため蓋操作レバーとロック解除レバーを別々に操作する必要がある構成に比べて蓋操作レバー７とロック解除レバー８を容易に操作することができる。
【００３１】
図８に示すように蓋部材５は、閉じ位置において蓋操作レバー７を覆わない。そのため蓋部材５を閉じ位置にした状態で蓋操作レバー７をロック解除レバー８に対して回転させることができる。
【００３２】
（他の実施の形態）
本発明は、上記実施の形態に限定されず、以下の形態等であっても良い。例えば図１に示すシートバック３は、天井２１に対して使用位置から前方に回転して格納位置に移動する。しかしシートバックが使用位置から後方に回転、あるいは左右いずれかに回転して天井に沿う格納位置へ移動しても良い。図１に示すシートバック３は、天井２１に対してアーム６によって回転可能に取付けられる。しかしシートバックが複数のリンクまたはすいラド装置等によって天井に対して移動可能に取付けられても良い。
【００３３】
図１に示すシートクッション４は、シートバック３に対して回転してシートバック３に重なり得る。しかしシートクッションがシートバックに対してスライドしてシートバックに重なっても良い。図１に示すシートクッション４は、シートバック３の表面に重なり得る。しかしシートクッションがシートバックの裏面に重なっても良い。
【００３４】
図１に示す蓋部材５は、開き位置においてシート装置１のシート２の前方に位置する。しかし蓋部材がシート装置のシートの左側または右側の開き位置に移動して、シートの左側または右側からシートの移動軌跡に異物が侵入することを抑制しても良い。
【００３５】
図１に示す蓋操作レバー７とロック解除レバー８は、シートバック３に設けられる。しかし蓋操作レバーとロック解除レバーがシートクッションに設けられても良い。図１に示す蓋操作レバー７は、ロック解除レバー８に取付けられる。しかし蓋操作レバーがロック解除レバーと別にシートバックまたはシートクッションに移動可能に取付けられても良い。
【００３６】
図１に示す蓋操作レバー７とロック解除レバー８は、シートバック３に対して直接または間接的に回転可能に取付けられる。しかし蓋操作レバーとロック解除レバーがシートバックに対してスライド可能に取付けられても良い。図２に示すロック解除レバー８の第一回転軸８ｃと、蓋操作レバー７の第二回転軸７ｃは、略平行に位置する。しかし第一回転軸と第二回転軸が平行でなくても良い。
【００３７】
蓋操作レバー７とロック解除レバー８の間には、蓋操作レバー７をロック解除レバー８に対して引き出した位置でロックし得るレバーロックと、レバーロックを解除する解除装置とが蓋操作レバー等に設けられても良い。これにより蓋操作レバー７によってロック解除レバー８を押す際に（図６参照）、蓋操作レバー７が誤ってロック解除レバー８に対して元の位置へ戻ることが抑制され得る。
【００３８】
図４，５に示すシート２を使用状態から格納状態にする場合、ロック解除レバー８をシートバック３に対して回転させた後に蓋操作レバー７をロック解除レバー８に対して回転させる。しかし先にロック解除レバーをシートバックに対して回転させ、後に蓋操作レバーをロック解除レバーに対して回転させても良い。図１に示すシート装置１は、車両等の乗物に装着されるが、船舶または航空機等の乗物に装着されても良い。
【符号の説明】
【００３９】
１…シート装置
２…シート
３…シートバック
４…シートクッション
５…蓋部材
６…アーム
７…蓋操作レバー
８…ロック解除レバー
８ｃ…第一回転軸
１０〜１２…ロック装置
１３，１７…ケーブル
１６，１８…付勢部材
１９…移動軌跡
２０…乗物
２１…天井
２９…ピラー
【図１】
2011201392.tif 000003
【図２】
2011201392.tif 000004
【図３】
2011201392.tif 000005
【図４】
2011201392.tif 000006
【図５】
2011201392.tif 000007
【図６】
2011201392.tif 000008
【図７】
2011201392.tif 000009
【図８】
2011201392.tif 000010
【図９】
2011201392.tif 000011
【図１０】
2011201392.tif 000012
【図１１】
2011201392.tif 000013